(57)【要約】【課題】  羽根の周辺部に設けるべき釘の数を犠牲にすることなく遊技の興趣性を損ねないようにして規定の導入幅を確保することができる羽根機構を備えたパチンコ遊技機を提供する。【解決手段】  パチンコ球の導入口近傍に設けられて揺動可能な羽根部材を備えたパチンコ遊技機において、前記羽根部材は、前記導入口を横断する方向に摺動可能な構成であり、摺動位置に応じて前記導入口へのパチンコ球の入賞状態を制御することを特徴としている。【選択図】  図２
2006230939.tif 000002
【特許請求の範囲】
【請求項１】
パチンコ球の導入口近傍に設けられて揺動可能な羽根部材を備えたパチンコ遊技機において、
前記羽根部材は、前記導入口を横断する方向に摺動可能な構成であり、摺動位置に応じて前記導入口へのパチンコ球の入賞状態を制御することを特徴とするパチンコ遊技機。
【請求項２】
請求項１記載のパチンコ遊技機において、
前記羽根部材は、前記導入口の端方向で二分する長さを有して互いに対向して接離可能な第１，第２の羽根部材からなり、
第１，第２の羽根部材は、接離間隔に応じて前記導入口へのパチンコ球の入賞状態を制御可能であることを特徴とするパチンコ遊技機。
【請求項３】
請求項２記載のパチンコ遊技機において、
前記第１，第２の羽根部材は、少なくとも一方が前記導入口を横断する方向に摺動可能であり、導入口へのパチンコ球の入賞状態及び入賞を阻止する状態をそれぞれ設定可能であることを特徴とするパチンコ遊技機。
【請求項４】
請求項２または３記載のパチンコ遊技機において、
前記第１，第２の羽根部材は、連動もしくは個別駆動により摺動可能に設けられていることを特徴とするパチンコ遊技機。
【発明の詳細な説明】
【技術分野】
【０００１】
本発明は、パチンコ遊技機に関し、さらに詳しくは、役物に用いられる羽根機構に関する。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。
【０００３】
従来から知られているパチンコ遊技機の一つに、開閉可能な羽根ものを備えた飛行機タイプと称される第２種のパチンコ遊技機がある。
【０００４】
第２種のパチンコ遊技機は、始動入賞口内にパチンコ球が入賞すると遊技領域に設けてある中央役物に備えられている一対の羽根部材が所定回数開閉動作を行い、その間に中央役物に設けられている特別入賞口にパチンコ球が入賞すると、羽根部材が予め設定されている最大回数を限度に繰り返し開閉するようになっている（例えば、特許文献１）。なお、パチンコ遊技機には、第１種パチンコ遊技機もあり、このパチンコ遊技機では、中央役物に付設した変動表示部での表示を始動入賞口にパチンコ球が入賞した時点で変動開始しさせ、変動停止時での結果が予め設定されている結果と一致した場合に大当たり状態に相当する特別遊技状態となり、大入賞口を所定回数あるいは所定個数のパチンコ球入賞のいずれか早い時期まで開閉を繰り返して賞球を受け取れるようにしている。（例えば、特許文献２）。
【０００５】
ところで、特許文献１に開示されているようなパチンコ遊技機おいては、中央役物に備えられている羽根部材の構成として、片持ち梁状に支持されて一方端を基端としてソレノイドなどの駆動により揺動する電動役物が用いられ、通常はパチンコ球の導入口を塞いでいる状態から導入口を開放できる状態に揺動することができるようになっている。
【特許文献１】特開２００３−１０２９５７号公報（段落「００２２」欄）
【特許文献２】特開２０００−３３１５２号公報（段落「００３３」欄）
【発明の開示】
【発明が解決しようとする課題】
【０００６】
ところで、電動役物等が用いられる羽根部材は、その設置箇所によって開放幅、つまり、パチンコ球が入り込める領域の幅を規定されている。例えば、多くの賞球を得る機会を期待できる中央役物の両肩部や両側面に設けてある羽根部材の場合、さらには大入賞口を対象とした場合には５５mmの導入幅に規定されている。この導入幅は、純粋にパチンコ球が入り込める寸法であるので、例えば導入口や入賞口の上方や近傍に障害釘や覆い部材などが配置されている場合にはこれらが占める領域を除いたうえで５５mmという導入幅を設定することが必要となる。
【０００７】
このため、上方や近くに障害釘や覆い部材が存在しているような場合を対象とした場合、中央役物に設けられている羽根部材の長さはこれら覆い部材などの長さを含めたて５５mmをもつ長さとなり、回動半径も大きくなる。
【０００８】
しかし、近年、表示内容の多様性に応じて表示部のサイズが大きくなる傾向にあり、このため、表示部近傍に位置する中央役物に設けられているパチンコ球の導入口と遊技盤に設けられているレール部材との間あるいは表示部近傍に配置されたゲート部材などとの間のスペースが減少する傾向にある。
【０００９】
このような現状から、例えば、中央役物の導入口に設けられている片持ち梁状の羽根部材の揺動量を確保して規定の導入幅を設定しようとすると、羽根部材の近傍に配置される導入釘や障害釘の設置スペースを確保することが困難となることがある。
【００１０】
従って、導入釘や障害釘の数を犠牲にして羽根の揺動範囲をパチンコ球の導入幅に見合うように位置決めしなければならず、結果として導入釘や障害釘の存在により醸し出される遊技の妙味性が損なわれてしまうことになる。
【００１１】
本発明の目的は、上記従来のパチンコ遊技機、パチンコ球の導入口に羽根機構を設けた場合の問題に鑑み、羽根の周辺部に設けるべき釘の数を犠牲にすることなく遊技の興趣性を損ねないようにして規定の導入幅を確保することができる羽根機構を備えたパチンコ遊技機を提供することにある。
【課題を解決するための手段】
【００１２】
本発明は、パチンコ球の導入口に装備されている羽根部材を、該導入口を横断する方向で摺動する構成とし、摺動状態に応じて導入口へのパチンコ球の入賞状態を制御できるようにしたことを特徴としている。
【００１３】
特に請求項１記載の発明は、パチンコ球の導入口近傍に設けられて揺動可能な羽根部材を備えたパチンコ遊技機において、前記羽根部材は、前記導入口を横断する方向に摺動可能な構成であり、摺動位置に応じて前記導入口へのパチンコ球の入賞状態を制御することを特徴としている。
【００１４】
請求項２記載の発明は、請求項１記載のパチンコ遊技機において、前記羽根部材は、前記導入口の端方向で二分する長さを有して互いに対向して接離可能な第１，第２の羽根部材からなり、第１，第２の羽根部材は、接離間隔に応じて前記導入口へのパチンコ球の入賞状態を制御可能であることを特徴としている。
【００１５】
請求項３記載の発明は、請求項２記載のパチンコ遊技機において、前記第１，第２の羽根部材は、少なくとも一方が前記導入口を横断する方向に摺動可能であり、導入口へのパチンコ球の入賞状態及び入賞を阻止する状態をそれぞれ設定可能であることを特徴としている。
【００１６】
請求項４記載の発明は、請求項２または３記載のパチンコ遊技機において、前記第１，第２の羽根部材は、連動もしくは個別駆動により摺動可能に設けられていることを特徴としている。
【発明の効果】
【００１７】
請求項１記載の発明によれば、導入口を横断する方向に摺動可能な羽根部材であるので、導入口の外側に張り出す部材がないことにより導入口周辺部での釘や覆い部材などの設置スペースを減少させないようにすることが可能となる。
【００１８】
請求項２および３記載の発明によれば、互いに接離可能な第１，第２の羽根部材を接離間隔の設定のみでパチンコ球の入賞状態を設定できるので、従来の羽根部材と違う印象を与えられると共に導入口の周辺部への釘や覆い部材の設置スペースの確保により羽根部材が受け取るのでなくても入賞状態を制御して遊技に興趣性を持たせることが可能となる。
【００１９】
請求項４記載の発明によれば、第、１台２の羽根部材が連動あるいは個別駆動できるように設けられているので、導入口での羽根部材の動きを異ならせることによりパチンコ球の入賞の仕方を変化させることが可能となる。
【発明を実施するための最良の形態】
【００２０】
以下、図に示す実施例により本発明を実施するための最良の形態について説明する。
【実施例】
【００２１】
図１は、本実施例によるパチンコ遊技機を示す図である。
【００２２】
図１に示すパチンコ遊技機は、羽根部材を用いた飛行機タイプと称される第２種に相当するものを対象として示してある。
【００２３】
図１においてパチンコ遊技機１００は、外郭方形枠サイズに形成されて縦長の固定保持枠１を構成する外枠１の開口前面に、外枠１に合わせて方形枠サイズに形成された開閉搭載用の前枠２を備えている。
【００２４】
前枠２は、遊技者が対面する側である遊技機前面において外枠１の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
【００２５】
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００２６】
遊技領域６には、略中央部に表示装置が設置される窓部で構成された表示部６ａが設けられている。
【００２７】
表示部６ａの周りには電動チューリップ６ｂおよび多数の導釘さらにはアウト玉を回収するアウト口６ｃ等が配置されており、役物に入賞せずに落下したアウト玉はアウト口６ｃに回収されると遊技盤３の背面側から機外に排出できるよういなっている。
【００２８】
また、前枠２の前面上部側には、遊技盤３を視認できるように透明な柄図板を備えた前扉７が水平方向に開閉可能かつ着脱可能に設けられ、通常は、施錠装置４により閉鎖状態に保持されて遊技盤３の前面を覆っている。
【００２９】
前枠２の前面下部側で前扉７の下方には、玉受け皿を構成している一体皿８が、前枠２に開閉自在に支持されている背面板（図示されず）に取り付けられて設けてあり、一体皿８は、図示しない施錠装置により通常、閉鎖状態に保持されている。
【００３０】
一体皿８には、パチンコ球が存在する皿部だけでなく、皿部の正面右側下部に発射ハンドル９が、そして、正面左側下部に灰皿１０等が設けられている。
【００３１】
遊技領域６に設けられている表示部６ａは、遊技盤３に取り付けられた中央役物（便宜上、二点鎖線で示す）１０１に装備されており、中央役物１０１には、その側面の一方に設けられているパチンコ球の導入口（図示されず）近傍に、これの開度を変化させてパチンコ球の入賞状態を制御可能な羽根部材が設けられている。
【００３２】
本実施例における羽根部材は、導入口を横断する方向に摺動可能に一対で設けられた第１，第２の羽根部材１０２，１０２’が用いられる。
【００３３】
図２は、羽根部材の構成を示す模式図であり、同図において第１，第２の羽根部材１０２，１０２’は、導入口を幅（図２中、符号Ｌで示す）で二分するように一対で設けられており、導入口を横断する方向に摺動することで互いに接近して当接する位置と互いに離れて導入口を開放する位置とに変位することができる。
【００３４】
互いに当接した場合は通常の状態であり、この状態は導入口へのパチンコ球の入賞を阻止する状態に相当し、互いに離れた場合は導入口を開放してパチンコと間の入賞を許容する状態に相当するように摺動ストロークが設定されている。
【００３５】
第１，第２の羽根部材１０２，１０２’は、連動あるいは個別に駆動される構成が選択できるようになっている。
【００３６】
今、個別に駆動される場合を説明すると、各羽根部材１０２，１０２’において互いに対向する端部と反対側の端部には、不動部との間に位置するバネなどの弾性部材１０３，１０３’の一端が係止されており、弾性部材１０３の付勢により互いに離間する方向の移動習性が与えられている。
【００３７】
一方、羽根部材１０２，１０２’には互いに対向する端部と反対側の端部に摺動のための駆動部材であるソレノイド１０４，１０４’のプランジャが突き当てられており、ソレノイド１０４，１４０’は、通常、プランジャを押し出して羽根部材１０２，１０２’同士を当接させる態位が初期態位として設定されている。このため、ソレノイド１０４，１０４’が励磁されると、羽根部材１０２，１０２’は弾性部材１０３，１０３’の付勢により互いに離れる方向に摺動する。
【００３８】
羽根部材１０２，１０２’同士を連動させる構成としては、図３に略示するように、羽根部材と異なる位置にステッピングモータなどの駆動源Ａを設け、各羽根部材１０２，１０２’における対向端部と反対側の端部にはラックＢを付設しておき、駆動源Ａの出力軸に設けたプーリＣと各ラックに噛み合うように設けてあるピニオンＤとをベルトＥを介して駆動する構成などがある。いずれの場合には、羽根部材１０２，１０２’の摺動を可能にするためのガイド部材が設けてある。
【００３９】
第１，第２の羽根部材１０２，１０２’は、駆動源の初期態位により図２において実線で示すように、導入口へのパチンコ球の入賞を阻止する位置を所定位置とされ、駆動源の駆動開始に伴い導入口を横断する方向で互いに離れるように摺動して二点鎖線で示すように、互いに離れて導入口へのパチンコ球の入賞状態を設定する。このように、第１，第２の羽根部材１０２，１０２’同士での接離間隔に応じたパチンコ球の入賞状態を制御できることになる。
【００４０】
本実施例では、上述したように羽根部材１０２，１０２’の摺動態位が導入口へのパチンコ球の入賞状態と入賞を阻止する状態の２態様であるが、これに限らず、導入口での開口度を細かく段階化するようにして、入賞状態の難易度を変化させて入賞の期待度を強調させるようにすることも可能である。
【００４１】
第１，第２の羽根部材１０２，１０２’が所定位置から変位する時期としては、例えば、始動入賞口６ｂにパチンコ球が入賞した場合の他に、始動入賞口だけでなく通常の入賞口への入賞回数が規定に達した時などのように、始動入賞口への入賞率が低い状態が継続されたような場合に遊技者が遊技に飽きそうな条件がそろった場合などが選択される。
【００４２】
本実施例は以上のような構成であるから、第１，第２の羽根部材１０２，１０２’は、第１，第２の羽根部材１０２，１０２’に対する駆動部材あるいは一方の駆動部材が初期態位にある時にはパチンコ球の導入口へのパチンコ球の入賞を阻む状態に維持される。
【００４３】
一方、第１，第２の羽根部材１０２，１０２’に対する駆動部材あるいは一方の駆動部材が初期態位から駆動されると、第１，第２の羽根部材１０２，１０２’同士が互いに離れ、導入口へのパチンコ球の入賞が可能となる状態とすることができる。
【００４４】
第１，第２の羽根部材１０２，１０３は、導入口を幅方向で二分しており、特に導入口の外側に向けて張り出す部材がないので、図２（Ｂ）に示すように、片持ち梁状に設けられて揺動する従来の羽根部材（便宜上、符号１０２’で示す）の回動半径に相当する範囲がない。従って、導入口の外側に何の邪魔なものがなく、図２（Ｂ）において符号Ｐ’で示す回動半径に相当する範囲がないので（図２（Ａ）中、符号Ｐで示す）、この範囲での釘類Ｋや覆い部材の設置スペースを十分確保することができる。しかも、摺動することで互いに接離することにより、導入口でのパチンコ球の導入幅（図２中符号Ｓで示す範囲）も確保することが可能となる。このため、覆い部材や誘導釘や障害釘の存在により遊技の興趣性を損なわないようにすることができる。
【００４５】
なお、上記実施例では、一対の羽根部材を設けた例を示しているが、本発明では、導入口を塞ぐ位置と開放する位置とに摺動可能な単一の羽根部材を用いることも可能である。この場合には、例えば、パチンコ球の流下方向下側に向けて移動して導入口の上側から開放させる形式や上側に向けてうどうすることで導入口の下側から開放される形式などとし、下側から導入口が開放されるような場合には、パチンコ球が導入口を通過し終わる印象を受けた際に入賞するなどの意外性を持たせることができるようにすることも可能である。
【００４６】
上記実施例では、羽根部材として中央役物に設けられているもの、つまり、パチンコ球の流下方向に設けられている羽根部材を対象としてあげたが、本発明では、これに限らず、始動入賞口や大入賞口等のように、水平方向に沿って設けられる両開き形式の羽根部材を対象とすることも可能である。また、第１，第２種のパチンコ遊技機においてパチンコ球の流下方向に沿って配置される羽根部材のいずれをも対象とすることも可能である。
【図面の簡単な説明】
【００４７】
【図１】本発明実施例によるパチンコ遊技機の正面図である。
【図２】本発明実施例によるパチンコ遊技機に用いられる要部構成を説明するための図であり、（Ａ）は、本実施例に用いられる羽根部材を、（Ｂ）は従来構造に用いられる羽根部材をそれぞれ示している。
【図３】図２に示した羽根部材の駆動系の別例を示す模式図である。
【符号の説明】
【００４８】
１００            パチンコ遊技機  
１０１            中央役物
１０２            第１の羽根部材
１０２’          第２の羽根部材
１０３            弾性部材
１０４            駆動部材であるソレノイド
ｋ        誘導釘、障害釘
【図１】
2006230939.tif 000003
【図２】
2006230939.tif 000004
【図３】
2006230939.tif 000005